(57)【要約】【課題】左右の風向変更装置の耐久性を向上する。【解決手段】吹出口は枠体１上方又は後方に向かって開口し、吹出口６には空気流を枠体上方向と枠体後方向との間で可変するルーバー枠体９を回動自在に取付け、このルーバー枠体は、断面コの字型の下ルーバー１０と、この下ルーバーの下面に略平行で間隔を設けると共に、上部を覆う上ルーバー１３を設け、この上ルーバーと下ルーバーとの間に配置されて左右に可動自在に設けた４つの左右風向板と、この左右風向板の１つと回転軸が同心の左右風向板モータ１８を設け、前記左右風向板はルーバー枠体９の右端に位置する第１左右風向板２３に前記左右風向板モータを取付け、前記右連接板２５によって近接する第２左右風向板２７を連動し、この第２左右風向板の回動によって第３左右風向板３２と第４左右風向板３７を個別に作動する中央連接板３０と左連接板３５を設けたものである。【選択図】図２
2014119137.tif 000002
【特許請求の範囲】
【請求項１】
枠体に設けた吸込口と吹出口の間に蒸発器、凝縮器、送風ファンを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する空気調和機において、前記吹出口は枠体上方又は後方に向かって開口し、吹出口には空気流を枠体上方向と枠体後方向との間で可変するルーバー枠体を回動自在に取付け、このルーバー枠体は、断面コの字型の下ルーバーと、この下ルーバーの下面に略平行で間隔を設けると共に、上部を覆う上ルーバーを設け、この上ルーバーと下ルーバーとの間に配置されて左右に可動自在に設けた４つの左右風向板と、この左右風向板の１つと回転軸が同心の左右風向板モータを設け、前記左右風向板はルーバー枠体の右端に位置する第１左右風向板に前記左右風向板モータを取付け、前記右連接板によって近接する第２左右風向板を連動し、この第２左右風向板の回動によって第３左右風向板と第４左右風向板を個別に作動する中央連接板と左連接板を設けたことを特徴とする空気調和機のルーバー構造。
【発明の詳細な説明】
【技術分野】
【０００１】
この発明は、除湿機などの空気調和機の吹出口に備えた風向を変更するルーバーの構造に関する。
【背景技術】
【０００２】
従来よりこの種のものに於いては、ルーバー枠体内に複数の左右風向板を備え、右側の右風向板を平行に位置する右連接板と、左側の左風向板を平行に位置する左連接板と、中央側の右風向板と左風向板を連結する中央連接板を設け、左右方向の吹出風を中央集中から左右方向への拡散方向に風向の変更を可能とするものであった。（例えば、特許文献１参照）
【先行技術文献】
【特許文献】
【０００３】
【特許文献１】特開２０１２−１５９２３４号公報
【発明の概要】
【発明が解決しようとする課題】
【０００４】
ところでこの従来のものでは、風向板と連接板を伝わる接触部の数が多くなるほど、摩擦等の伝達ロスにより力を伝達する風向板の回転軸に負荷が発生する。そのため手動で左右風向板の方向を変化させる程度では問題無いが、ルーバモータを使用してスイング運転などの自動回動運転によって、数万回以上の回動耐久性が要求される場合には、前記の伝達ロスによって左右風向板や連接板の接続部分に故障が発生して、左右風向板が動かなくなる恐れがあった。
【課題を解決するための手段】
【０００５】
この発明はこの点に着目し上記欠点を解決する為、特にその構成を、枠体に設けた吸込口と吹出口の間に蒸発器、凝縮器、送風ファンを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する空気調和機において、前記吹出口は枠体上方又は後方に向かって開口し、吹出口には空気流を枠体上方向と枠体後方向との間で可変するルーバー枠体を回動自在に取付け、このルーバー枠体は、断面コの字型の下ルーバーと、この下ルーバーの下面に略平行で間隔を設けると共に、上部を覆う上ルーバーを設け、この上ルーバーと下ルーバーとの間に配置されて左右に可動自在に設けた４つの左右風向板と、この左右風向板の１つと回転軸が同心の左右風向板モータを設け、前記左右風向板はルーバー枠体の右端に位置する第１左右風向板に前記左右風向板モータを取付け、前記右連接板によって近接する第２左右風向板を連動し、この第２左右風向板の回動によって第３左右風向板と第４左右風向板を個別に作動する中央連接板と左連接板を設けたものである。
【発明の効果】
【０００６】
この発明によれば、左右風向モータ１８の力を右端の第１左右風向板２３から左端の第４左右風向板３７まで、伝達するのに２個の連接板２５・３５で動きを伝達することが可能となり、より小さなモータトルクで全ての左右風向板１７を回動させることができるようになることで、左右風向板１７の駆動構造の耐久性能が向上するものである。
【図面の簡単な説明】
【０００７】
【図１】この発明一実施例を示す除湿機の縦断面図
【図２】同ルーバー枠体の分解斜視図。
【図３】同左右風向板が平行状態の要部平面図。
【図４】同左右風向板が拡散状態の要部平面図。
【図５】左右風向板が平行状態の要部正面図。
【図６】従来例を示す平面図。
【発明を実施するための形態】
【０００８】
次にこの発明に係る空気調和機を図面に示された一実施例で説明する。
１は除湿機の枠体で底板２上に前方の前ケース３と後方の後ケース４とを設けて本体の外郭を構成している。
５は前記枠体１背面に形成された吸込口で、前記後ケース４に横長のスリットを多数備えた開口が設けられている。
【０００９】
６は前記枠体１上面から背面上部かけて設けた吹出口で、乾燥空気の吹出方向を上方向から後ろ方向まで自由にかえることができるものである。
前記吸込口５の内側には樹脂製の網や不織布から成り吸入空気に混入するホコリを取り除くフィルタ７を備えている。このフィルタ７の内側にはフィンチューブ式の熱交換器からなる蒸発器８を備え、吸込空気を冷却することにより空気中の水分を結露させ除湿を行う。
【００１０】
前記吹出口６には吹出空気の方向を上方向から後ろ方向の間に自由に角度を変えることができるルーバー枠体９を備えている、このルーバー枠体９は断面コの字型の下ルーバー１０と、この下ルーバ１０の下面１１に略平行で、下面１１と約４０ｍｍの間隔を保って端部１２に係合して上部を覆う上ルーバー１３を設けている。
【００１１】
前記ルーバー枠体８の左右側面には一対の上下回動軸１４を設け、吹出口６の側面に備えた軸受部（図示せず）と上下ルーバモータ（図示せず）によって、除湿機の運転停止時には後ろ側への吹出方向の位置にして、枠体１上面を略平坦にし、洗濯乾燥運転等の際には自動でルーバー枠体８が回動して上方に向けて乾燥空気を吹き出すものである。
【００１２】
前記下ルーバ１０と上ルーバー１３には筒状の突起１５を対向して設け、この突起１５に回転軸１６を挿入して扁平状の左右風向板１７を回動自在に設けている。
１８は左右風向モータで、前記下ルーバ１０に立設したモータ突起１９と左右風向モータ１８を水やホコリから保護するモータカバー２０で覆いながらネジ２１にてネジ止めされる。モータ軸２２は右端の第１左右風向板２３の回動軸２４に挿合して左右風向モータ１８により第１左右風向板２３を回動する。
【００１３】
２５は右連接板で、前記第１左右風向板２３の上部に備えた連接軸２６と左側に略平行に設けた第２左右風向板２７上部で且つ回動軸２８よりも後ろ側に備えた連接軸２９を接続して第１左右風向板２３の動きを第２左右風向板２７に伝達する。
３０は中央連接板で、前記第２左右風向板２７下部で且つ回動軸２８よりも前方に備えた連接軸３１と左側に設けた第３左右風向板３２下部且つ回動軸３３よりも後ろ側に備えた連接軸３４を接続して第２左右風向板２７の動きを第３左右風向板３２に伝達する。
【００１４】
３５は左連接板で、前記第２左右風向板２７上部で且つ前記回動軸２８よりも前方に備えた連接軸３６と左端に設けた第４左右風向板３７上部で且つ回動軸３８よりも後ろ側に備えた連接軸３９を接続して第２左右風向板２７の動きを第４左右風向板３７に伝達する。
【００１５】
このように、左右風向モータ１８の力を右端の第１左右風向板２３から左端の第４左右風向板３７まで、伝達するのに２個の連接板２５・３５で動きを伝達することが可能となり、より小さなモータトルクで全ての左右風向板１７を回動させることができるようになることで、左右風向板１７の駆動構造の耐久性能が向上するものである。
【００１６】
前記蒸発器８の更に下流には蒸発器８と同じくフィンチューブ式の熱交換器からなる凝縮器４０を備え、蒸発器８にて冷却された空気の加熱を行う。
前記凝縮器４０下流にはシロッコファン型の送風ファン４１及びこのファン４１を駆動するファンモータ４２を設け、前記吸込口５と吹出口６の間に形成した送風経路４３の送風を行うものである。
【００１７】
前記前ケース３の内側でファンモータ４２との間にはケーシング４４を備え、送風を吹出口６側へ導くものである。
また前記凝縮器４０とファン４１の間には効率的にファン４１へ送風を導くために中央に送風口を備えた仕切板４５を設け、蒸発器９の下方には結露水を受けるドレン皿４６を設けている。
４７は一方をこのドレン皿４６の底面に接続し、他方をドレンタンク４８の上部に位置させた排水路で、前記ドレン皿４６で集めた結露水を前記ドレンタンク４８へ導くもので  
【００１８】
４９は前記吹出口６の内側の送風経路４３に設けられたヒーターで、衣類乾燥時や冬期間に室温が低くなり除湿の効率が低下する事を防止するものであり、消費電力は約４００〜５００Ｗ程である。５０は除湿機運搬用のコの字型の取っ手で、除湿機上面の後ろ側に収納され、使用時には回動して吹出口６上方に位置し運搬を行う。５１は除湿機上面の前方部分に設けられた操作部で運転スイッチ（図示せず）等のスイッチ類と運転ランプ（図示せず）等の表示ランプ類を備えている。５２は前記底板２に固定された圧縮機。
【００１９】
図３は左右風向板１７が平行状態を示すもので、この状態から左右風向モータ１８駆動すれば、連接板２５・３０・３５は矢印の方向に移動して、図４のように吹出空気を拡散するように左右方向に左右風向板を向けることができるものであり、左右風向モータ１８の力を右端の第１左右風向板２３から左端の第４左右風向板３７まで、伝達するのに２個の連接板２５・３５で動きを伝達することが可能となり、より小さなモータトルクで全ての左右風向板１７を回動させることができるようになることで、左右風向板１７の駆動構造の耐久性能が向上するものである。
【符号の説明】
【００２０】
１  枠体
５  吸込口
６  吹出口
９  ルーバー枠体
１０  下ルーバ
１３  上ルーバー
１８  左右風向モータ
２３  第１左右風向板
２５  右連接板
２７  第２左右風向板
３０  中央連接板
３２  第３左右風向板
３５  左連接板
３７  第４左右風向板
４１  送風ファン
【図１】
2014119137.tif 000003
【図２】
2014119137.tif 000004
【図３】
2014119137.tif 000005
【図４】
2014119137.tif 000006
【図５】
2014119137.tif 000007
【図６】
2014119137.tif 000008